(57)【要約】【課題】撮像装置の待機電力を削減するために一部の電源を遮断した状況においても、検出器の温度安定状態に応じて撮影条件を制限することで、撮影不可能となることを回避する。【解決手段】Ｘ線管１と、被験者５を載せる寝台４と、Ｘ線管１からのＸ線を検出する検出器６を有する検出部２と、寝台４を挟んでＸ線管１と検出部２とが対向するように取り付けられた回転盤３と、検出器６の撮影可能領域に応じて、Ｘ線管１の照射範囲を制御する制御装置１３とを有する。【選択図】図８
2018191762.tif 000002
【特許請求の範囲】
【請求項１】
Ｘ線管と、
被験者を載せる寝台と、
前記Ｘ線管からのＸ線を検出する検出器を有する検出部と、
前記寝台を挟んで前記Ｘ線管と前記検出部とが対向するように取り付けられた回転盤と、
前記検出器の撮影可能領域に応じて、前記Ｘ線管の照射範囲を制御する制御装置とを有する放射線撮像装置。
【請求項２】
請求項１において、
前記制御装置は、前記検出部への電源投入からの経過時間に基づき、前記検出器の撮影可能領域を定める放射線撮像装置。
【請求項３】
請求項１において、
前記検出部には温度センサが配置され、
前記制御装置は、前記温度センサの示す温度に基づき、前記検出器の撮影可能領域を定める放射線撮像装置。
【請求項４】
請求項１において、
前記制御装置は、前記検出器の検出素子の定常状態との感度差に基づき、前記検出器の撮影可能領域を定める放射線撮像装置。
【請求項５】
請求項１において、
前記制御装置は、前記検出器のオフセットのノイズに基づき、前記検出器の撮影可能領域を定める放射線撮像装置。
【請求項６】
請求項１において、
前記Ｘ線管の近傍に配置されるＸ線絞りを有し、
前記制御装置は、前記検出器の撮影可能領域に応じて、前記Ｘ線絞りを制御してスライス厚を制御する放射線撮像装置。
【請求項７】
請求項６において、
前記制御装置は、前記スライス厚に応じてヘリカルスキャン時におけるヘリカル間隔を調整する放射線撮像装置。
【請求項８】
請求項１において、
前記Ｘ線管から放出されるＸ線を減弱させる補償物を有し、
前記制御装置は、前記検出器の撮影可能領域に応じて、形状の異なる補償物を切り替えてＸ線管から放出されるＸ線の減弱量を変化させることにより、ＦＯＶを制御する放射線撮像装置。
【請求項９】
請求項１において、
前記検出器からの検出信号から画像再構成する画像生成部を有し、
前記画像生成部は、前記検出器の撮影可能領域に応じた、前記検出器からの検出信号に基づき画像再構成する放射線撮像装置。
【請求項１０】
請求項１において、
前記検出器の撮影可能領域が制限されていることを、ユーザーインターフェース上に表示する放射線撮像装置。
【請求項１１】
Ｘ線管と、
被験者を載せる寝台と、
前記Ｘ線管からのＸ線を検出する検出器を有する検出部と、
前記寝台を挟んで前記Ｘ線管と前記検出部とが対向するように取り付けられた回転盤と、
前記検出器の撮影可能領域に応じて、前記Ｘ線管の照射範囲を制御する制御装置とを有し、
前記制御装置は、次の検査スケジュールデータの撮影条件を確認し、前記撮影条件が最大未満のスライス厚またはＦＯＶを使用する場合には、前記撮影条件に応じて前記検出部を部分的に電源遮断する放射線撮像装置。
【請求項１２】
請求項１１において、
前記検出部は、前記検出部の前記撮影条件に応じた領域の検出素子の放射線感度を所定の範囲に保つよう分割されたヒータが設けられている放射線撮像装置。
【発明の詳細な説明】
【技術分野】
【０００１】
本発明は放射線撮像装置に関する。
【背景技術】
【０００２】
従来、Ｘ線ＣＴ（Computed Tomography）装置では、夜間等の待機時の電力消費やファン動作による騒音を抑制するために、電源供給の部分的な遮断が実施され、省電力化と静音化が実現されていた。しかし、Ｘ線ＣＴ装置では安定した検出器感度を維持することが求められるため、検出器の動作温度を一定範囲に保つことが必要となる。このため、このような省電力、静音機能を有するＸ線ＣＴ装置の場合、電源供給が遮断された状態から再度投入され、検出器温度が本来の所定値と異なる状況においても、本来の画質を担保しなければならない。この検出器温度が変化し、検出器感度が変化する状況において本来の画質を担保するため、特許文献１には検出器の温度が安定していない場合には、キャリブレーションを実施し補正データを新たに生成する技術が開示されている。
【先行技術文献】
【特許文献】
【０００３】
【特許文献１】特開２０１４−１６６３４８号公報
【発明の概要】
【発明が解決しようとする課題】
【０００４】
Ｘ線ＣＴ装置への電源供給が部分的に遮断されているときに、急患等で緊急の撮影が必要となった場合は一刻も早く撮影を開始することが要求される。この場合、キャリブレーションを実施し、補正データを新たに作成するために、たとえばファントム撮影を行うとなると、撮影開始までに時間と手間がかかり、緊急の撮影への対応が困難である。
【０００５】
本発明は、撮像装置の待機電力を削減するために一部の電源を遮断した状況においても、撮影不可能となることを回避可能な放射線撮像装置を提供することを目的とする。
【課題を解決するための手段】
【０００６】
上記目的を達成するため、本発明の放射線撮像装置は、Ｘ線管と、被験者を載せる寝台と、Ｘ線管からのＸ線を検出する検出器を有する検出部と、寝台を挟んでＸ線管と検出部とが対向するように取り付けられた回転盤と、検出器の撮影可能領域に応じて、Ｘ線管の照射範囲を制御する制御装置とを有する。
【発明の効果】
【０００７】
本発明によれば、撮像装置の待機電力を削減するために一部の電源を遮断した状況においても、撮影不可能となることを回避可能な放射線撮像装置を提供することができる。
【図面の簡単な説明】
【０００８】
【図１Ａ】放射線撮影装置の構成を示す図である。
【図１Ｂ】検出器の構成を概念的に示す図である。
【図２】電源投入後の検出器の撮影可能領域の変化を示す図である。
【図３】検出器の撮影可能領域に応じてＦＯＶを制限する例である。
【図４】検出器の撮影可能領域に応じてスライス厚を制限する例である。
【図５Ａ】通常撮影時のヘリカル間隔を示す図である。
【図５Ｂ】撮影範囲（スライス厚）が制限されたときのヘリカル間隔を示す図である。
【図６】Ｘ線絞りにより撮影範囲を制限する方法を示す図である。
【図７】補償物の変更により撮影範囲を制限する方法を示す図である。
【図８】放射線撮像装置において、電源投入後、検出器の撮影可能領域により撮影を開始するフローチャートである。
【図９Ａ】検出部に温度センサを設ける例である。
【図９Ｂ】検出部に温度センサを設ける例である。
【図９Ｃ】検出部に温度センサを設ける例である。
【図１０】検出素子の定常状態との感度差の電源投入後からの推移を示す図である。
【図１１】検出素子のオフセットのＳＤ値の電源投入後からの推移を示す図である。
【図１２】撮影範囲の制限の表示に係るユーザーインターフェースである。
【図１３Ａ】Ｘ方向およびＺ方向に分割されたヒータを設けた検出部の図である。
【図１３Ｂ】Ｘ方向に分割されたヒータを設けた検出部の図である。
【図１３Ｃ】Ｚ方向に分割されたヒータを設けた検出部の図である。
【図１４】予約患者情報取得後、ヒータの電源遮断箇所を最適化し、撮影可能領域が制限される様子を示すグラフである。
【図１５】検出部の電源供給遮断箇所を最適化するフローチャートである。
【発明を実施するための形態】
【０００９】
図１Ａに放射線撮像装置の概要を示す。３は回転盤、４は被験者５を載せる寝台である。Ｘ線を照射するＸ線管１とＸ線管１より照射され被験者５を透過したＸ線を検出する検出部２は互いに対向するように回転盤３に取り付けられている。これらは制御装置１３により制御される。本実施例では、特に制御装置１３は検出部２の状態を把握し、検出部２全体が撮像可能な状態でなくても、可能になった部分で撮像を開始させる機能を有する。図１Ｂに検出部２の構成を示す。検出部２は容器７内に検出器６が設けられている。容器７の上面には、検出器６のＸ線検出面を遮らないように、ヒータ８ａ，８ｂが設けられている。ヒータ８は、検出器６の検出素子のＸ線感度がその温度に依存するため、検出素子のＸ線感度を所定の範囲に保つために設けられる。また、容器７の側面には複数の冷却用のファン９が設けられている。検出器６はＸ−Ｚ面にマトリックス状に配置された検出素子１０を有している。特に限定されないが、検出素子１０はＸ線が入射されると発光するシンチレータとシンチレータから放射される光が入射すると入射した光量に応じた電流が流れるフォトダイオードで構成される。検出素子１０からのアナログ信号はＤＡＳ（Data Acquisition System）基板１１に出力され、増幅、サンプリングの上、デジタル信号に変換される。変換後のデジタル信号は、画像を再構成する画像生成部１２に出力される。
【００１０】
なお、図１Ａ、図１Ｂともに検出部２の長軸方向（検出器６のチャネル方向）をＸ軸、短軸方向（検出器６のスライス厚方向）をＺ軸、鉛直方向をＹ軸とする。
【００１１】
以下、より具体的に本発明の実施形態について説明する。
【００１２】
図２に、検出器６のＸ方向およびＺ方向の温度勾配により撮影可能領域が制限されている状態を示す。一部の電源遮断が解除され、電源投入された直後の時刻Ｔ１において、検出器６の中心部である領域２１ａ（点線）が所定の基準温度から一定の範囲に達しており、正常な撮影が可能な領域となっているとする。なお、撮影可能領域が初期状態からどのように拡大するかは検出部２に設けられたヒータ８から検出器６への熱の伝わり方に依存する。本実施例では時間の経過にともなって、少なくとも中心部から周辺部に向かって撮影可能領域が拡大するようにヒータ８が設置される。電源投入されてから時刻Ｔ２、時刻Ｔ３と時間が経過していくと、検出器６の全体が基準温度へと徐々に近づき、撮影可能領域が広くなる。
【００１３】
領域２１ａの場合は、時間の経過とともにＸ方向、Ｚ方向の双方に撮影可能領域が拡大し、時刻Ｔ２では撮影可能領域は領域２２ａに、時刻Ｔ３では撮影可能領域は領域２３ａに拡大する。この場合は、経過時間によって、撮影可能な最大ＦＯＶ、最大スライス厚の双方が次第に大きくなる。
【００１４】
領域２１ｂ（一点鎖線）のように、時刻Ｔ１において中心付近に位置するＸ方向についてはすべての検出素子が撮影可能領域となっており、検出器６のＺ方向のみに温度勾配が発生するようにしてもよい。この場合は、時間が経過するにつれて、Ｚ方向に撮影可能領域が広がる。この場合は、常に最大ＦＯＶで撮影可能な状態を維持することができる。
【００１５】
領域２１ｃ（二点鎖線）のように、時刻Ｔ１において中心付近に位置するＺ方向についてはすべての検出素子が撮影可能領域となっており、検出器６のＸ方向のみに温度勾配が発生するようにしてもよい。この場合は、時間が経過するにつれて、Ｘ方向に撮影可能領域が広がる。この場合は、常に最大スライス厚で撮影可能な状態を維持することができる。
【００１６】
本実施例では、検出器６の必要な範囲が部分的に撮影可能になった状態での撮影の実行を可能にする。このため、検出器６の撮影範囲外とする領域においては無効被曝を避けるために、Ｘ線管の照射範囲も連動して制限することが望ましい。
【００１７】
図３は検出器６の撮影可能領域に応じてＦＯＶを制限する例である。検出器６の撮影可能領域がＸ方向に制限されている場合には、それに応じた所定のＦＯＶで撮影を行うことが望ましい。検出器６の撮影可能領域が領域３１である場合には、制限されたＦＯＶ３２により撮影を行う。
【００１８】
図４は検出器６の撮影可能領域に応じてスライス厚を制限する例である。検出器６の撮影可能領域がＺ方向に制限されている場合には、それに応じた所定のスライス厚で撮影を行うことが望ましい。検出器６の撮影可能領域が領域４１である場合には、それに応じて制限されたスライス厚Ｗ４２により撮影を行う。なお、スライス厚を制限する場合には、回転スキャンのテーブル移動ピッチも連動して制御する必要がある。図５Ａは通常撮影時のスライス厚Ｗ４３（図４参照）でのヘリカル間隔Ｐ５１を示している。これに対し、図５Ｂにスライス厚をＷ４２に制限したときのヘリカル間隔Ｐ５２を示している。このように、検出器６の撮影可能領域に応じてスライス厚を制限する場合には、それに応じてヘリカルスキャン時におけるヘリカル間隔を制御することで、検出器６全体が撮影可能になっていない場合であっても必要な撮影が可能となる。
【００１９】
図６により、Ｘ線絞り（コリメータ）６０によりＸ線の照射範囲を制御する方法を説明する。Ｘ線絞りはＸ線管近傍に配置され、一般的にはスライス厚を制限するために用いられる。Ｘ線管１から発生したＸ線を、Ｘ線絞り６０の位置を移動させることで、スライス厚をＷ６２からＷ６１に制限することで被験者に対する無効被曝を抑制することができる。
【００２０】
図７により、形状の異なる補償物を使いわけることでＸ線の照射範囲を制御する方法を説明する。補償物は一般的にはＸ線を吸収する金属製のフィルタであり、その形状よりボウタイフィルタとも呼ばれる。補償物は一般的にはＦＯＶを制限するために用いられる。通常撮影時の補償物７１は端チャンネルにむかうにつれ、徐々にＸ線減弱量を大きくするため、補償物７１の領域Ｗ７１で円弧上の形状をしている。一方で、中央チャンネルのみに撮影範囲を制限する場合は補償物７２に入れ替えられる。補償物７２の領域Ｗ７２の範囲は領域Ｗ７１に比べて狭く、端チャンネルにおけるＸ線減弱量が大幅に大きくされている。通常撮影時の補償物７１を撮影範囲制限時には補償物７２に入れ替え、ＦＯＶを制限することで被験者に対する無効被曝を抑制する。
【００２１】
さらに、撮影可能範囲を制限する場合には、画像生成部１２にて画像再構成を行うソフトウェアプログラムにおいて撮影不可領域のデータを用いずに、画像再構成範囲を撮影可能範囲に制限することが望ましい。このように、画像再構成範囲もあわせて限定することで演算量を低減することができるため、画像再構成速度も向上させることができる。
【００２２】
図８は放射線撮像装置において、電源投入後に検出器６全体が撮影可能となるのを待たず、撮影を開始することを可能とするフローチャートである。まず、電源遮断状態（Ｓ８０１）から検出部２に電源投入（Ｓ８０２）された後、検出器の状態を測定または推定する（Ｓ８０３）。ステップＳ８０３の具体的な方法については後述する。測定または推定した検出器６の状態、具体的には、検出器６におけるＸ方向およびＺ方向の温度勾配から、撮影可能なＦＯＶ、スライス厚（必要に応じてスライス厚に応じたヘリカル間隔も）をユーザーインターフェース上に表示する（Ｓ８０４）。さらに、ユーザーにより被験者の撮影条件がインプットされたかどうかを判定し（Ｓ８０５）、インプットされていない場合はステップＳ８０３に戻る。インプットされた場合、その撮影条件が、現在使用可能なＦＯＶおよびスライス厚で実際に撮影可能かどうかを判定する（Ｓ８０６）。撮影が不可能である場合は、ユーザーにその旨を通知し（Ｓ８０８）、ステップＳ８０３に戻る。撮影可能の場合はユーザーのインプットした撮影条件により撮影を行い（Ｓ８０７）、ステップＳ８０３に戻る。
【００２３】
図８のステップＳ８０３において、検出器６の状態を推定するために検出部２に電源投入してからの経過時間を測定する。この場合、放射線撮像装置は、その制御装置１３に、検出部２に電源投入してから時間経過に応じた検出器６のＸ方向の温度勾配及びＺ方向の温度勾配を記憶しておく。テーブルの形で記憶してあってもよいし、経過時間に対する関数として記憶してあってもよい。これにより、ステップＳ８０４において、経過時間に応じ撮影可能なＦＯＶ範囲、スライス厚を表示することができる。
【００２４】
検出器６の状態の測定または推定方法は電源投入からの経過時間の測定には限られない。いくつかの変形例を例示する。
【００２５】
第１の変形例では、検出部２に温度センサを設け、検出器６のＸ方向及びＺ方向の温度勾配を取得する。図９Ａ〜Ｃに検出部２の容器７に温度センサ９０（点線で示す）を設けた例を示す。温度センサ９０は、検出器６によるＸ線の検出を妨げないよう、また図示しないヒータの配置に応じて配置すればよい。例えば、検出器６の撮影可能領域が中心部からＸ方向、Ｚ方向の双方に拡大するようにヒータが配置されている場合（図２の撮影可能領域２１ａを参照）には、図９Ａのように、検出器６の周囲に温度センサ９０を配置する。また、検出器６の撮影可能領域が中心部からＸ方向のみに拡大するようにヒータが配置されている場合（図２の撮影可能領域２１ｃを参照）には、図９Ｂのように、検出器６のＸ方向に延びる辺に沿って温度センサ９０を配置する。また、検出器６の撮影可能領域が中心部からＺ方向のみに拡大するようにヒータが配置されている場合（図２の撮影可能領域２１ｂを参照）には、図９Ｃのように、検出器６のＺ方向に延びる辺に沿って温度センサ９０を配置する。放射線撮像装置の制御装置１３は、温度センサ９０の示す温度に基づき、検出器６のＸ方向の温度勾配及びＺ方向の温度勾配を算出する。
【００２６】
第１の変形例では、図８のステップＳ８０３において、検出器６の状態を測定するために検出部２に配置した温度センサの示す温度から、検出器６のＸ方向及びＺ方向の温度勾配を測定する。これにより、ステップＳ８０４において、撮影可能なＦＯＶ範囲、スライス厚を表示することができる。このように、温度センサ９０により検出部２の温度を実測することにより、正確な温度勾配を測定し、検出器６の撮影可能領域を求めることができる。
【００２７】
第２の変形例では、検出器６の検出素子の定常状態との感度差を計測することにより、検出器６のＸ方向及びＺ方向の温度勾配を取得する。一般的に検出素子に用いられるシンチレータおよびフォトダイオードの特性は温度に依存する。第２の変形例では、被験者の撮影前に各検出素子について定常状態との感度差を計測し、計測した感度差から定常状態との感度差が閾値以下である検出素子に撮影範囲を限定する。これにより、検出素子の温度が所定の温度から一定の範囲にある検出素子を撮影可能範囲とすることができる。検出部２の電源が投入された直後で検出素子の温度が所定の値に達していない場合は、検出素子の感度は、本来の感度よりも高くなる。この場合、電源投入直後の時刻Ｔ１においては、検出器６の中心付近は定常状態の感度との差が少ない状態であり、検出器６の端へ行くに従い定常状態の感度との差が大きくなる。電源投入直後Ｔ１では撮影可能範囲は領域１００であるが、時間がＴ２、Ｔ３と経過するにつれ、検出器６の全体の温度が安定し、定常状態の感度との差が小さくなり、撮影可能範囲が領域１０１、領域１０２へと広がっていく。なお、撮影可能範囲の広がり方は図２に関して説明した通り、ヒータの配置に依存して異なる。
【００２８】
第２の変形例では、図８のステップＳ８０３において、検出器６の状態を測定するために検出器６の各検出素子について定常状態との感度差を測定する。これにより、ステップＳ８０４において、撮影可能なＦＯＶ範囲、スライス厚を表示することができる。このように、検出器６の検出素子の感度差を実測することにより、正確な温度勾配を推定し、検出器６の撮影可能領域を求めることができる。
【００２９】
第３の変形例では、検出器６の検出素子のオフセットのノイズを計測することにより、検出器６のＸ方向及びＺ方向の温度勾配を取得する。ノイズは例えば、オフセット値の標準偏差（以後ＳＤ）の大きさによって簡便に判断することが可能である。一般的に検出素子に用いられるシンチレータおよびフォトダイオードの特性は温度に依存し、温度が高いほどＳＤ値は高くなる。画像再構成に必要なパラメータの中にはオフセットノイズに依存して決定されるものもあるため、検出素子の温度が静定しておらず、本来のオフセットノイズと異なるノイズ量を有する状態において撮影および画像再構成を行うと、本来の画質を得られない可能性がある。そこで、第３の変形例では、被験者の撮影前にオフセットのＳＤ値を計測し、計測したＳＤ値が閾値以上である検出素子に撮影範囲を限定する。これにより、検出素子の温度が所定の温度から一定の範囲にある検出素子を撮影可能範囲とすることができる。電源投入直後Ｔ１では撮影可能範囲は領域１１０であるが、時間がＴ２、Ｔ３と経過するにつれ、検出器６の全体の温度が安定し、オフセットのＳＤ値が大きくなり、撮影可能範囲が領域１１１、領域１１２へと広がっていく。なお、撮影可能範囲の広がり方は図２に関して説明した通り、ヒータの配置に依存して異なる。
【００３０】
第３の変形例では、図８のステップＳ８０３において、検出器６の状態を測定するために検出器６の各検出素子についてオフセットのＳＤ値を測定する。これにより、ステップＳ８０４において、撮影可能なＦＯＶ範囲、スライス厚を表示することができる。このように、検出器６の検出素子のオフセットのＳＤ値を実測することにより、正確な温度勾配を推定し、検出器６の撮影可能領域を求めることができる。
【００３１】
図１２は電源投入後に、撮影条件が制御されていることをユーザーインターフェース上で表示する方法を示す。この例では、ＦＯＶの制限１２１とスライス厚の制限１２２とが表示され、視認性を高めるため人体モデル図１２３も付して表示されている。撮影条件が制限されている際は、撮影不可である条件が選択できないようにされている。さらに、図１２の例のように、当該時点で撮影不可である条件で撮影可能となるまでの待機時間が表示されることが望ましい。このように、ユーザーインターフェース上で撮影条件が制限されている状態を表示することで、緊急の電源投入後におけるユーザーの円滑な撮影を補助することが可能となる。
【００３２】
図１３は、検出部２にＸ方向及び／またはＺ方向に分割されたヒータ１３０が取り付けられている様子を示す。図１３Ａはヒータ１３０がＸ方向、Ｚ方向の双方に分割されている場合、図１３Ｂはヒータ１３０がＸ方向に分割されている場合、図１３Ｃはヒータ１３０がＺ方向に分割されている場合である。ヒータ１３０を分割して検出部２へ取り付けることで、最大未満のＦＯＶやスライス厚を用いて撮影を行う際、一部のヒータへの電源遮断を行い、省電力化が可能となる。
【００３３】
図１４に、ＦＯＶやスライス厚を制御して撮影を行う予約患者情報を取得してから、検出部２に設けられた一部のヒータへの電源供給を遮断し、撮影を行うまでに検出器６の撮影可能領域が狭くなっていく様子を示す。一般的に検出素子に用いられるシンチレータおよびフォトダイオードの特性は温度に依存する。本実施例では、検出器６の周辺部に配置されたヒータには電源遮断を行い、検出器６の中心部に配置されたヒータには電源供給を継続することで、予約患者の撮影の際に必要な中央チャンネルにおいて、定常状態との感度差が生じないよう、温度コントロールを行う。
【００３４】
予約患者情報取得時Ｔ１１では撮影可能範囲は領域１４０であるが、時間がＴ１２、Ｔ１３と経過するにつれ、検出器６の端部の温度が不安定となり、定常状態の感度との差が大きくなることにより、撮影可能範囲が領域１４１、領域１４２へと狭くなっていく。撮影に必要な領域のみ、感度が安定するように電源供給を行うことで、不要な電力消費をなくすことができる。なお、撮影可能範囲の狭まり方は、ヒータの配置に依存して異なる。
【００３５】
図１５は、検査終了後において、次の検査スケジュールデータを取得し、予定の撮影条件に応じて検出部２の電源供給遮断箇所を最適化するフローチャートである。検査が終了した後（Ｓ１５２）、次の検査スケジュールの有無を判定する（Ｓ１５３）。次の検査スケジュールがない場合、現在の時刻における過去の検査数を取得し、過去の検査数に応じて緊急検査が入る可能性を推定し、検出部２の電源遮断を行うかを判断する（Ｓ１５４）。過去に検査がある場合、検出部２への電源供給を続け（Ｓ１５５）、過去に検査がない場合、検出部２への電源遮断を行う（Ｓ１５６）。その後、ステップＳ１５３に戻る。また、検査スケジュールがある場合、その予約患者情報を取得する（Ｓ１５７）。撮影条件が装置で撮影可能である最大未満のＦＯＶもしくはスライス厚を使用するか否かを判定し（Ｓ１５８）、使用する場合には撮影条件に応じて検出部２に搭載されているＤＡＳ基板、Ｘ軸方向および／またはＺ軸方向に分割されたヒータ、ファンへの電源遮断箇所を最適化し（Ｓ１５９）、検査を行う（Ｓ１６０）。一方、撮影条件が装置で撮影可能な最大のＦＯＶおよび最大のスライス厚であった場合は、検出部２への電源遮断は行わず、電源給電を維持し（Ｓ１６１）、検査を行う（Ｓ１６０）。
【符号の説明】
【００３６】
１・・・Ｘ線管、２・・・検出部、３・・・回転盤、４・・・寝台、５・・・被験者、６・・・検出器、７・・・容器、８・・・ヒータ、９・・・ファン、１０・・・検出素子、１１・・・ＤＡＳ基板、１２・・・画像生成部、１３・・・制御装置。
【図１Ａ】
2018191762.tif 000003
【図１Ｂ】
2018191762.tif 000004
【図２】
2018191762.tif 000005
【図３】
2018191762.tif 000006
【図４】
2018191762.tif 000007
【図５Ａ】
2018191762.tif 000008
【図５Ｂ】
2018191762.tif 000009
【図６】
2018191762.tif 000010
【図７】
2018191762.tif 000011
【図８】
2018191762.tif 000012
【図９Ａ】
2018191762.tif 000013
【図９Ｂ】
2018191762.tif 000014
【図９Ｃ】
2018191762.tif 000015
【図１０】
2018191762.tif 000016
【図１１】
2018191762.tif 000017
【図１２】
2018191762.tif 000018
【図１３Ａ】
2018191762.tif 000019
【図１３Ｂ】
2018191762.tif 000020
【図１３Ｃ】
2018191762.tif 000021
【図１４】
2018191762.tif 000022
【図１５】
2018191762.tif 000023